(57)【特許請求の範囲】
【請求項１】
ビデオ・キャプチャ装置の照明源のための電源システムにおいて、
変圧器の１次側インダクタを通過する電流を制御するように結合され、センス信号に応答して、前記変圧器の２次側インダクタに結合される第１の出力上の第１の出力電圧を第１の目標値に調整する、スイッチング電源コントローラと、
前記第１の出力電圧を格納するように前記第１の出力に結合された第１の格納要素を有し、前記第１の出力電圧を示す第１のフィードバック信号を形成するように構成された第１のフィードバック網を有する、第１の出力段と、
前記１次側インダクタからの電圧を受け取るように形成された入力と、前記入力に結合された整流器と、第２の出力電圧を形成する第２の出力と、前記整流器からの信号を受け取り、電圧を格納するように結合された第２の格納要素と、前記第２の出力電圧を示す第２のフィードバック信号を形成するように構成された第２のフィードバック網とを有する、第２の出力段と、
前記第１の出力電圧を前記第１の目標値に調整しかつ前記第２の出力電圧を第２の目標値に調整しないように、前記第１のフィードバック信号を前記センス信号に選択的に結合し、および、前記第２の出力電圧を前記第２の目標値に調整しかつ前記第１の出力電圧を前記第１の目標値に調整しないように、前記第２のフィードバック信号を前記センス信号に選択的に結合するように構成される、フィードバック・セレクタと、
から構成されることを特徴とする電源システム。
【請求項２】
前記整流器は、前記１次側インダクタのスイッチングされる端子と、前記第２の格納要素との間に結合されることを特徴とする請求項１記載の電源システム。
【請求項３】
出力電圧セレクタをさらに含み、前記出力電圧セレクタは、前記第２のフィードバック信号が前記センス信号に選択的に結合されるのに応答して前記第２の出力を負荷に結合するように構成されることを特徴とする請求項１記載の電源システム。
【請求項４】
電源コントローラを形成する方法において、
センス信号に応答して変圧器の１次側インダクタを通過する電流を制御するようにスイッチを動作させるためのスイッチング電源制御部を形成するために、スイッチング用駆動信号を形成する段階と、
前記変圧器の２次側インダクタから形成される第１の出力電圧を示す第１のフィードバック信号を受け取り、かつ前記１次側インダクタのスイッチングされる端子から受け取られた電圧から形成される第２の出力電圧を示す第２のフィードバック信号を受け取るために、前記電源コントローラを構成する段階と、
電源システムのフィードバック・セレクタを形成する段階であって、前記スイッチが前記電流を制御し、前記第１の出力電圧を第１の所望の値に調整するが、前記第２の出力電圧を調整しないように動作するために、前記第１のフィードバック信号を前記センス信号に選択的に結合し、および、前記スイッチが前記電流を制御し、前記第２の出力電圧を第２の所望の値に調整するが、前記第１の出力電圧を前記第１の所望の値に調整しないように動作するために、前記第２のフィードバック信号を前記センス信号に選択的に結合する、段階と、
から構成されることを特徴とする方法。
【請求項５】
前記フィードバック・セレクタを形成する段階は、ビデオ照明システムのための前記第１の出力電圧および前記第２の出力電圧を提供するように前記電源コントローラを結合する段階を含むことを特徴とする請求項４記載の方法。
【発明の詳細な説明】
【技術分野】
【０００１】
本発明は、概して、電子機器に関し、より詳細には、電源コントローラ（例えば、電源用半導体デバイス）、および、このような半導体デバイスを形成する方法に関する。
【背景技術】
【０００２】
従来、電子機器業界においては、スチルカメラおよび動画ビデオカメラ等のイメージ・キャプチャ装置用の照明システムを形成するために、多様な方法および構造が用いられた。デジタル技術の発展により、静止画の取得および動画ビデオの取得を１つのイメージ・キャプチャ装置に統合することが可能となった。例えば、携帯電話機は、静止画像として単一画像の取得または映画または動画ビデオとしての連続動画の取得を行う能力を有するように進化した。低光状況における動作能力を提供するために、これらのイメージ・キャプチャ装置には、取得対象を照明する方法も設けられた。一般に、キセノン光源を用いてパルス状フラッシュを発することで、単一静止画像の取得が行われた。キセノン光源が用いられた理由は、キセノン光源を用いると高輝度光が得られる点があった。しかし、キセノン光源は、連続動画ビデオに必要な連続照明には不適切であった。そのため、典型的には発光ダイオード（ＬＥＤ）である第２の光源が連続動画ビデオ用の連続光源を提供するために用いられた。
【０００３】
キセノン光源は、キセノン光源を励起させてパルス光またはフラッシュ光を得るために、高電圧パルス（典型的には、約２５０〜３２０ボルト（２５０〜３２０Ｖ））を必要とした。対照的に、ＬＥＤは、より長期にわたって供給が可能である、より低電圧の供給源を使用した。その結果、キセノン光源を動作させるためだけのために１つの電源が静止画像部内に設けられ、ＬＥＤを動作させるための別の電源がビデオ部に設けられた。結果として、通常、照明システム内においては、スイッチング電源コントローラ（switching power supply controller）、および変圧器のようなインダクタを含む電源一式が静止画像部のために設けられ、別のスイッチング電源コントローラ、および別の変圧器のような別のインダクタを含む別の一式の電源がビデオ部のために設けられた。電源コントローラを２つと、インダクタを２つ有する、電源システム一式を２つ設けたため、イメージ・キャプチャ装置の費用が増加した。
【０００４】
従って、２つのインダクタまたは２つの変圧器を必要とせず、２つの別個のスイッチング電源コントローラを必要とせず、なおかつ低コストである、イメージ・キャプチャ装置の照明部のための電源システムが所望される。
【図面の簡単な説明】
【０００５】
【図１】典型的な先行技術の電源システムの実施形態の模式図である。
【図２】本発明による、イメージ・キャプチャ装置の照明システムのための電源システムの一部の実施形態の模式図である。
【図３】本発明による、スイッチング電源コントローラの簡単なブロック図を模式的に示す。
【図４】本発明による、図３の電源コントローラを含む半導体デバイスの拡大平面図である。
【発明を実施するための形態】
【０００６】
図示の説明を簡潔かつ明瞭にするため、図面中の要素は必ずしも縮尺通りになっておらず、異なる図面における同一の参照番号は、同一要素を指す。さらに、説明を簡潔にするため、周知の工程および要素の説明および詳細を省略する。本明細書中用いられる「通電電極」とは、ＭＯＳトランジスタのソースまたはドレイン、あるいはバイポーラ・トランジスタのエミッタまたはコレクタ、あるいはダイオードのカソードまたはアノードのような、デバイスを通じて通電するデバイス要素を意味し、「制御電極」とは、ＭＯＳトランジスタのゲートまたはバイポーラ・トランジスタのベースのような、デバイスを通過する電流を制御するデバイス要素を意味する。これらのデバイスを本明細書中特定のＮ型デバイスまたは型デバイスあるいは特定のＮ型またはドープ領域Ｐ型ドープ領域として説明するが、当業者であれば、相補型デバイスも本発明に従って可能であることを理解する。当業者であれば、回路動作に関連して本明細書中で用いられる、「時において」、「しつつ」および「の時」は、何らかの動作の開始直後に別の動作が発生することを意味する正確な用語ではなく、それらの動作間には、初期動作に起因する反応が起こるまでの短いが妥当な、伝搬遅延のような遅延があり得ることを理解する。また、「およそ」および「実質的に」という表現を用いた場合、１つの要素の値が、記載の値または位置に極めて近いことが予期されるパラメータを有することを意味する。しかし、当該分野において周知のように、記載の値または位置からの小さなずれが常にある。少なくとも１０％まで（半導体ドーピング濃度の場合は２０％まで）のずれは、記載の理想値からの妥当なずれとして当該分野において認められている。
【０００７】
イメージ・キャプチャ装置の照明システムのための典型的な先行技術電源の一例を図１に示す。この電源は、一般に、単一画像（ＰＳ１）を取得するためのフラッシュ発生のための電力を供給する静止画像部と、連続動画ビデオ取得の対象を照明するための電力を供給するビデオ部とを含む。この静止画像部は、変圧器１９のようなスイッチング電源コントローラ１７と、インダクタと、キセノン光源（Ｘ１）と、キセノン光源（Ｘ１）用の高電圧放電回路とを含む。キセノン光源（Ｘ１）は、変圧器Ｔ２と、コンデンサＣ１と、絶縁ゲート・バイポーラ・トランジスタ（ＩＧＢＴ）Ｓ１とを含む。出力段１８は、安定化出力電圧を出力１５上に形成するために用いられる。出力段１８は通常、ダイオードＤ１のような整流器と、ダイオードＤ１からの電圧平均値を格納する、出力コンデンサＣ２のような格納要素と、直列に接続された抵抗器Ｒ２，Ｒ３のようなフィードバック網とを含む。この静止画像部内において、カメラの焦点を設定するために対象までの距離を決定するために光を検出するなどの、キセノン光源（Ｘ１）からの光を検出する、光センサ（ＰＨＳ）が用いられ得る。
【０００８】
コントローラ１７は、イネーブル信号（ＥＮ）、トリガ信号（ＴＧ）、およびプレフラッシュ（ＰＲＥＦ）信号のような制御信号入力に応答する制御論理も含み得る。イネーブル（ＥＮ）信号が動作状態になると、コントローラ１７は、電源の出力１５における出力電圧を調整するために、内部スイッチ（ＳＷ）を動作させて、変圧器１９の一次側のインダクタのようなインダクタを通過する電流を制御する。スイッチ（ＳＷ）の動作は、コントローラ１７のセンス信号入力（ＳＮ）で受け取られるフィードバック信号（ＦＢ）に応答して制御される。出力段１８のフィードバック網は、出力１５において形成された出力電圧の値を示すフィードバック信号をノード１４において形成するように、出力１５に接続される。図１に示すように、このフィードバック網は、抵抗器Ｒ２およびＲ３の抵抗ディバイダを含む。しかし、当業者であれば、このフィードバック網は、出力電圧を示すフィードバック信号の提供のために用いられる他の任意の周知の回路であってもよいことを理解する。図１に示す実施形態において、電流１６が流れるインダクタは、変圧器１９の一次側インダクタである。他の実施形態において、このインダクタは、変圧器の一部ではなく、別個の単一インダクタであり得る。当業者に周知のように、スイッチング電源コントローラ１７は、内部のスイッチ・トランジスタのスイッチングを制御し、出力１５における電圧を目標値に近い値の範囲内の目標値において維持するために必要な電流１６を形成する。例えば、目標値は１５ボルト（１５Ｖ）であり得、この値の範囲は、１５ボルトの±５％であり得る。
【０００９】
ビデオ部用の電源は、スイッチング電源コントローラ１３と、インダクタとを含む。図１に示す実施形態において、このインダクタは、変圧器Ｔ３の一次インダクタである。コントローラ１３は、ノードＯＶにおける出力電圧を示す別のフィードバック信号に応答して、ノードＯＶにおける出力電圧を調整する。コントローラ１３は、コントローラ１７と類似し得る。抵抗器Ｒ６およびＲ７のフィードバック網のようなフィードバック網は、出力電圧値を示すフィードバック信号を形成する。コントローラ１３は、このフィードバック信号を受信し、出力電圧値を調整するためにこのインダクタを通過する電流を制御する。ダイオードＤ２のような整流器は、このインダクタからの電圧を整流し、この電圧の平均値を出力コンデンサＣ３上に格納する。ビデオ・イネーブル（ＶＥ）制御信号を用いて、トランジスタＳ２を動作状態にし、ＬＥＤを発光させる。図１に示すように、コントローラ１７，１３は、相互に独立して動作する。
【００１０】
図２は、イメージ・キャプチャ装置の照明システム用の電源システム２０の一部の実施形態例の模式図である。システム２０は、図１の静止画像部と同様の静止画像部を含むが、システム２０の静止画像部は、ノード１４からのフィードバック信号（ＦＢ）を直接コントローラ１７のセンス信号（ＳＮ）に接続しない。
【００１１】
システム２０は、ビデオ部２１も含む。ビデオ部２１は、スイッチング電源コントローラまたはインダクタまたは変圧器を含まず、この静止画像部のスイッチング電源コントローラおよびインダクタを共用する。ビデオ部２１は、フィードバック・セレクタ２２と、出力段３５とを含む。本明細書中以下からさらに分かるように、出力段３５は入力３６を有し、変圧器１９の一次インダクタのスイッチングされる端子、すなわち静止画像部のインダクタのスイッチングされる端子からの電圧を受け取るように接続される。出力段３５は、入力電圧を受け取り、ビデオ出力電圧または第２の出力電圧をビデオ部２１の出力４９上に形成する。コントローラ１７がコントローラ１７の内部のスイッチ（ＳＷ）を切り換えたとき、入力３６は、このインダクタのスイッチングされる端子から電圧を受け取る。入力３６上の電圧は、ダイオード３７によって整流され、その結果得られた平均電圧は、ノード３９上の格納電圧として出力コンデンサ３８に格納される。出力段３５はまた、出力電圧セレクタ４１を含む。出力電圧セレクタ４１は、ノード３９およびコンデンサ３８からの格納電圧をビデオ出力電圧として出力４９に選択的に結合する。ビデオ部２１のフィードバック網は、抵抗器５３を含む。抵抗器５３は、出力４９上のビデオ出力電圧を示す第２のフィードバック信号またはビデオ・フィードバック信号（ＶＦＢ）を形成するように、構成される。当業者であれば、他の周知のフィードバック回路を使用してもフィードバック信号を形成することがでることを認識する。
【００１２】
ビデオ部２１のフィードバック・セレクタ２２は、出力１５上に形成される出力電圧を示す第１のフィードバック信号をノード１４から受け取り、また出力４９上に形成されるビデオ出力電圧を示すビデオ・フィードバック信号（ＶＦＢ）を受け取るように構成される。フィードバック・セレクタ２２は、出力１５上の出力電圧を出力１５の目標値への調整を容易にするために第１のフィードバック信号をコントローラ１７のセンス信号（ＳＮ）入力に選択的に結合し、また出力４９上のビデオ出力電圧をビデオ出力電圧の目標値に調整するためにビデオ・フィードバック信号（ＶＦＢ）をセンス信号（ＳＮ）入力に選択的に結合するように構成される。
【００１３】
動作時において、論理ロー（低）等、ビデオ・イネーブル（ＶＥ）制御信号が無効にされると、セレクタ２２のインバータ２５の出力は強制的にハイ（高）になり、その結果、トランジスタ２７が動作状態となる。イネーブルにされたトランジスタ２７を動作状態にすると、ノード１４からのフィードバック信号（ＦＢ）がコントローラ１７のセンス信号入力（ＳＮ）に接続される。これにより、コントローラ１７は、出力１５上の出力電圧値を出力１５の目標値に調整するために電流１６の値を制御することができる。無効となったビデオ・イネーブル（ＶＥ）制御信号はまた、セレクタ４１のトランジスタ４４を非動作状態にし、それにより抵抗器４７は、トランジスタ４８のベースを高レベルに引き上げ、よって、トランジスタ４８を非動作状態にする。トランジスタ４８が非動作状態であるため、ノード３９上の格納電圧は出力４９に印加されない。従って、セレクタ４１は、ＶＥ信号の無効状態に応答して、出力４９上の出力電圧の形成を選択的に抑制する。その結果、ノード３９上の電圧値は、この動作状態時において、システム２０の動作に影響を与えない。
【００１４】
論理ハイ（高）のようにビデオ・イネーブル（ＶＥ）制御信号がアサートされると、トランジスタ４４が動作状態となり、トランジスタ４８のベースがローに引き下げられ、これにより、トランジスタ４８が動作状態となる。トランジスタ４８を動作状態にすると、出力４９がコンデンサ３８の格納要素に結合され、これにより、この格納要素上に格納されている電圧が出力４９に結合され、ビデオ出力電圧が出力４９上に形成される。出力４９上のビデオ出力電圧により、ＬＥＤ５１から光を発生するように電流がＬＥＤ５１内を通過する。ＬＥＤ５１内を通過する電流は、抵抗器５３内も通過し、これにより、フィードバックノード５４にビデオ・フィードバック信号（ＶＦＢ）が形成される。また、アサートされたビデオ・イネーブル（ＶＥ）制御信号は、インバータ２５の出力を強制的にローにし、これにより、トランジスタ２７が非動作状態となり、バッファ２４の出力が強制的にハイにされる。バッファ２４からのハイにより、トランジスタ２８が動作状態となり、ビデオ・フィードバック信号（ＶＦＢ）がコントローラ１７のセンス信号（ＳＮ）入力に選択的に接続される。これにより、コントローラ１７は、電流１６の値を制御するために、出力４９上のビデオ出力電圧値をビデオ出力電圧の目標値に調整することができる。
【００１５】
システム２０のこの機能を容易にするために、ノード１４は、セレクタ２２の第１のフィードバック入力と、トランジスタ２７のソースとに接続される。トランジスタ２７のドレインは、トランジスタ２８のドレインと、セレクタ２２の出力と、コントローラ１７のセンス信号（ｎ）入力とに共通接続される。ノード５４は、セレクタ２２の第２のフィードバック入力と、トランジスタ２８のソースとに接続される。セレクタ２２の制御入力２３は、バッファ２４の入力と、インバータ２５の入力とに接続される。バッファ２４の出力は、トランジスタ２８のゲートに接続され、インバータ２５の出力は、トランジスタ２７のゲートに接続される。出力段３５の入力３６は、ダイオード３７のアノードと、静止画像部のインダクタのスイッチングされる端子とに接続される。ダイオード３７のカソードは、コンデンサ３８の第１の端子と、抵抗器４７の第１の端子と、トランジスタ４８のエミッタとに共通接続される。抵抗器４７の第２の端子は、トランジスタ４８のベースと、トランジスタ４４のコレクタとに共通接続される。トランジスタ４４のエミッタは、抵抗器５３の端子と、コンデンサ３８の第２の端子と、帰路１２とに共通接続される。トランジスタ４４のベースは、抵抗器４３の第１の端子に接続される。抵抗器４３は、ビデオ・イネーブル（ＶＥ）制御信号端子上のビデオ・イネーブル（ＶＥ）制御信号を受信するように接続された第２の端子を有する。コントローラ１７のスイッチング出力は、変圧器１９の一次インダクタのスイッチングされる端子に接続され、一次インダクタのスイッチングされない端子は、電力入力端子１１からの電力を受け取るように、接続される。変圧器１９の二次インダクタは、ダイオードＤ１のアノードに接続されたスイッチング端子を有する。ダイオードＤ１は、出力１５に接続されたカソードを有する。変圧器１９の二次インダクタのスイッチングされない端子は、帰路端子１２と、コンデンサＣ２の第１の端子と、抵抗器Ｒ３の第１の端子とに共通接続される。コンデンサＣ２の第２の端子は、出力１５と、抵抗器Ｒ２の第１の端子とに接続される。抵抗器Ｒ２の第２の端子は、ノード１４と、抵抗器Ｒ３の第２の端子とに接続される。
【００１６】
図３は、スイッチング電源コントローラ６０の簡略化されたブロック図を模式的に示す。スイッチング電源コントローラ６０は、図２のコントローラ１７に類似するが、図２の記載において説明したフィードバック・セレクタ２２も含む。当該分野において周知のように、スイッチング電源コントローラの１つの実施形態の例は、発振器と、傾斜波発生器と、ＳＮ信号を受信する誤差増幅器（ＥＡ）と、誤差信号を傾斜信号と比較する比較器と、電力スイッチの動作および電流１６の値の制御を行うためのスイッチング駆動信号を形成するために用いられるラッチとを通常含む。コントローラ６０の要素は、単一半導体基板に集積することができる。
【００１７】
図４は、半導体ダイ７１上に形成された半導体デバイスまたは集積回路７０の実施形態の一部の拡大平面図を示す。コントローラ６０は、ダイ７１上に形成される。ダイ７１は、図面を簡潔にする目的のために図４中に図示されていない他の回路も含み得る。コントローラ６０およびデバイスまたは集積回路７０は、当業者に周知の半導体製造技術により、ダイ７１上に形成される。
【００１８】
当業者であれば、上記の説明から、ビデオ・キャプチャ装置の照明源用の電源システムは、以下のものから構成され得ることが理解され、変圧器１９の一次インダクタのようなインダクタを通じて、電流１６のような電流を制御するように接続された、コントローラ（１７）のようなスイッチング電源コントローラで、出力１５のような第１の出力上の第１の出力電圧を、センス信号ＳＮのようなセンス信号に応答して第１の所望の値に調整する、コントローラ（１７）のようなスイッチング電源コントローラと、電源システムの第１の出力段が１の出力電圧を格納するように第１の出力に結合される第１の格納要素と、この第１の出力電圧を示す第１のフィードバック信号を形成するように構成される第１のフィードバック網と、を有する。
【００１９】
電源システムの第２の出力段は、インダクタからの電圧を受信するように結合された入力と、この入力に結合された整流器と、第２の出力電圧を形成する第２の出力と、この整流器からの信号を受け取り、第２の出力電圧を格納するように結合された第２の格納要素と、第２の出力電圧を示す第２のフィードバック信号を形成するように構成された第２のフィードバック網と、を有する。
【００２０】
電源システムのフィードバック・セレクタは、第１の出力電圧を第１の所望の値に調整しかつ第２の出力電圧を第２の所望の値に調整しないように、第１のフィードバック信号をセンス信号に選択的に結合し、第２の出力電圧を第２の所望の値に調整しかつ第１の出力電圧を第１の所望の値に調整しないように、第２のフィードバック信号をセンス信号に選択的に結合するように、構成される。
【００２１】
当業者であれば、上記説明から、電源コントローラを形成する方法は、以下を含み得ることも理解し、スイッチング電源制御部を形成して、スイッチング用駆動信号を形成し、センス信号に応答してインダクタを通過する電流を制御するようスイッチを動作させることを含む。
【００２２】
第１の出力電圧を示す第１のフィードバック信号を受信、第２の出力電圧を示す第２のフィードバック信号の受信を行うように、電源コントローラを構成することを含む。
【００２３】
さらに、電源システムのフィードバック・セレクタを形成して、このスイッチを電流を制御するように動作させ、第１の出力電圧を第１の所望の値に調整し、第２の出力電圧を調整しないように第１のフィードバック信号をセンス信号に選択的に結合し、スイッチを電流を制御するように動作させ、第２の出力電圧を第２の所望の値に調整し、第１の出力電圧を第１の所望の値に調整しないように第２のフィードバック信号をセンス信号に選択的に結合することを含む。
【００２４】
上記全てを鑑みて、新規なデバイスおよび方法が開示されていることが明かである。他の特徴中でもとりわけ、各第１の出力電圧または第２の出力電圧を対応する目標値に調整するために、第１のフィードバック信号または第２のフィードバック信号のうちいずれかをスイッチング電源コントローラの入力のセンス入力に選択的に結合することが含まれる。単一電源コントローラを共用して２つの異なる出力電圧を２つの異なる値を含む２つの値に調整することで、必要なスイッチング電源コントローラおよびインダクタの数が低減し、これにより、コスト低減に繋がる。
【００２５】
降圧形スイッチング電源
本発明の対象について、特定の好適な実施形態と共に説明したが、上記の図面およびその説明は、単に本発明の典型的実施形態なおよび例示的実施形態を示したものであり、本発明の範囲を限定するものとしてみなされるべきではない。当業者にとって、多くの代替および改変が明らかであることが明らかである。システム２０およびコントローラ６０は、最先端の固定周波数降圧型スイッチング電源コントローラとして図示および説明したが、しかし、本発明は、ブースト・システム、ヒステリシス・システム、パルス周波数変調システム、および他の周知のスイッチング制御方法のような他の種類のスイッチング電源システムにも適用可能である。さらに、セレクタ２２を特定の実施形態と共に図示したが、複数のフィードバック信号の中からコントローラに適用すべき１つのフィードバック信号をセレクタが選択する限り、他の実施形態も用いることができる。また、セレクタ３５を特定の実施形態と共に構成したが、スイッチング電源コントローラに結合されたＶＦＢ信号に応答してセレクタ３５が出力４９上に出力電圧を形成する限り、セレクタ３５の実施形態は異なっていてもよい。さらに、「接続される」という用語は、説明を明確にするために全体において用いているが、この用語は、「結合される」と同義であることが意図される。従って、「接続される」とは、直接的接続または間接的接続のいずれをも含むものとして解釈されるべきである。
【００２６】
国内書面提出時の請求項１に係る電源システムにおいて、前記インダクタは変圧器の一次側であり、前記第１の出力電圧は、前記変圧器の二次側の電圧から形成されることを特徴とする（国内書面提出時の請求項２に対応）。
【００２７】
国内書面提出時の請求項２に係る電源システムにおいて、前記第１の出力段は、前記変圧器の二次側インダクタに結合されかつ前記第１の出力に結合された整流器を含むことを特徴とする（国内書面提出時の請求項３に対応）。
【００２８】
国内書面提出時の請求項５に係る電源システムにおいて、前記負荷はＬＥＤであることを特徴とする（国内書面提出時の請求項６に対応）。
【００２９】
国内書面提出時の請求項５に係る電源システムにおいて、前記出力電圧セレクタは、前記第２のフィードバック信号が前記センス信号に選択的に結合されるのに応答して前記第２の出力を前記負荷に結合するように構成されたスイッチを含むことを特徴とする（国内書面提出時の請求項７に対応）。
【００３０】
国内書面提出時の請求項１に係る電源システムにおいて、前記スイッチング電源コントローラは、前記スイッチング電源コントローラによって形成された駆動信号の切り換えに応答して前記電流を選択的に伝導させるように結合されたスイッチを含むことを特徴とする（国内書面提出時の請求項８に対応）。
【００３１】
国内書面提出時の請求項１０に係る電源コントローラを形成する方法において、前記第１の出力電圧および前記第２の出力電圧を提供するように前記電源コントローラを結合する段階は、フラッシュ照明システムのために前記第１の出力電圧を提供しかつ連続ビデオ照明システムのために前記第２の出力電圧を提供するように前記電源コントローラを結合する段階を含むことを特徴とする（国内書面提出時の請求項１１に対応）。
【００３２】
国内書面提出時の請求項９に係る電源コントローラを形成する方法は、前記インダクタを変圧器の一次インダクタとして構成し、かつ前記変圧器の二次インダクタを前記二次インダクタの第１の出力段に結合する段階と、
第１の出力に結合された第１の整流器を含むように前記第１の出力段を構成する段階であって、前記第１の出力電圧は、形成され、かつ前記第１の出力電圧を格納するための第１の格納要素に結合される、段階と、
をさらに含むことを特徴とする（国内書面提出時の請求項１２に対応）。
【００３３】
国内書面提出時の請求項９に係る電源コントローラを形成する方法は、第２の整流器を含む第２の出力段に前記一次インダクタを結合する段階、および、第２の出力に前記第２の整流器を結合する段階をさらに含み、前記第２の出力電圧は、形成され、かつ前記第２の出力電圧を格納する第２の格納要素に結合されることを特徴とする（国内書面提出時の請求項１３に対応）。
【００３４】
国内書面提出時の請求項１３に係る電源コントローラを形成する方法において、前記第２の出力段に前記一次インダクタを結合する段階は、前記第２のフィードバック信号が前記センス信号に結合されるのに応答して前記第２の出力電圧を前記第２の出力に結合するために出力セレクタ・スイッチを結合する段階を含むことを特徴とする（国内書面提出時の請求項１４に対応）。
【００３５】
国内書面提出時の請求項９に係る電源コントローラを形成する方法において、前記フィードバック・セレクタを形成する段階は、選択制御信号の第１の状態に応答して、前記第１のフィードバック信号を受け取るために第１のセレクタ・スイッチを導通し、前記第１のフィードバック信号を前記センス信号に選択的に結合する段階、および、前記選択制御信号の第２の状態に応答して、前記第２のフィードバック信号を受け取るために第２のセレクタ・スイッチを導通し、前記第２のフィードバック信号を前記センス信号に選択的に結合し、かつ前記第１のフィードバック信号を前記センス信号から非導通する段階を含むことを特徴とする（国内書面提出時の請求項１５に対応）。
【図１】
0005458180.tif 000002
【図２】
0005458180.tif 000003
【図３】
0005458180.tif 000004
【図４】
0005458180.tif 000005